(57)【要約】 【課題】  回路ブロックにフレキシブル回路基板を備え、前記回路ブロックに電池から給電する電子時計において、電池プラス端子と電池マイナス端子の構成部品点数と組立工数を従来よりも大幅に削減すること。【解決手段】  電池収納凹部６に電池５が収納されると、舌片状プラス端子部７はカンチレバー型プラス端子押し当てばね１０によって電池５のプラス電極面に当接するように押圧され、舌片状マイナス端子部８はカンチレバー型マイナス端子押し当てばね１１によって電池５のマイナス電極面に当接するように押圧される。このようにして、フレキシブル回路基板４の一部を利用した形成された舌片状プラス端子部７と舌片状マイナス端子部８は、接触圧付与手段であるカンチレバー型プラス端子押し当てばね１０とマイナス端子押し当てばね１１によって適切な接触圧を確保しながら、電池５のプラス電極とマイナス電極にそれぞれ安定的に当接する。【選択図】  図１
2007218870.tif 000002
【特許請求の範囲】
【請求項１】
フレキシブル回路基板を電池のプラス電極まで延伸して形成し、前記電池のプラス電極に当接させるプラス端子部と、前記フレキシブル回路基板を電池のマイナス電極まで延伸して形成し、前記電池のマイナス電極に当接させるマイナス端子部と、を有する回路ブロックと、
前記プラス端子部を前記電池の前記プラス電極に安定的に当接させる第１の接触圧付与手段と、前記マイナス端子部を前記電池の前記マイナス電極に安定的に当接させる第２の接触圧付与手段と、前記電池を収容するために凹状に形成された電池収納凹部と、を有する支持体と、
を有することを特徴とする電子時計。
【請求項２】
前記第１の接触圧付与手段は、前記電池の側面を押圧するために前記電池収納凹部の側面に設けられ、前記電池の側面側に配置された前記プラス端子部を前記電池のプラス電極面に当接するように押圧するプラス端子押し当てばねであり、
面に設けられ、前記電池の底面側に配置された前記マイナス端子部を前記電池のマイナス電極面に当接するように押圧するマイナス端子押し当てばねであることを特徴とする請求項１に記載の電子時計。
【請求項３】
前記プラス端子押し当てばねは、プラスチック製の地板を利用して形成されたカンチレバー型プラス端子押し当てばねであり、前記マイナス端子押し当てばねは、プラスチック製の地板を利用して形成されたカンチレバー型マイナス端子押し当てばねであることを特徴とする請求項２に記載の電子時計。
【請求項４】
前記プラス端子押し当てばねは、プラスチック製の地板を利用して形成されたカンチレバー型プラス端子押し当てばねであり、前記マイナス端子押し当てばねは、プラスチック製の地板を利用して形成されたブリッジ型マイナス端子押し当てばねであることを特徴とする請求項２に記載の電子時計。
【請求項５】
前記ブリッジ型マイナス端子押し当てばねは、プラスチック製の地板を利用して前記電池収納凹部の底面に形成された短冊状弾性片であって、その両端は前記地板に固定され且つその中央部に突起を有する短冊状弾性片であることを特徴とする請求項４に記載の電子時計。
【請求項６】
前記第１の接触圧付与手段は、前記電池の側面を押圧するために前記電池収納凹部の側面に設けられ、前記電池のプラス電極の側面側に配置された前記プラス端子部を前記電池のプラス電極面と記電池収納凹部の側面の間に挟むように押圧するプラス端子押し当てばねであり、
前記第２の接触圧付与手段は、前記フレキシブル回路基板の延伸部に設けられた弾性アーム部であって、前記電池の底面側に配置された前記マイナス端子部を前記電池のマイナス電極面に当接するように押圧する弾性アーム部であることを特徴とする請求項１に記載の電子時計。
【請求項７】
前記プラス端子押し当てばねは、プラスチック製の地板を利用して形成されたカンチレバー型プラス端子押し当てばねであることを特徴とする請求項６に記載の電子時計。
【請求項８】
前記第１と第２の接触圧付与手段は、地板に取付けられた電池押さえ部の電池押さえばねであって、前記電池の上面側に配置された前記プラス端子部を前記電池収納凹部の開口側から前記電池プラス電極面に当接するように押圧すると共に、前記電池収納凹部の底面側に配置されているマイナス端子部を前記電池収納凹部の底面と前記電池の下面との間に挟みこむ電池押さえばねであることを特徴とする請求項１に記載の電子時計。
【発明の詳細な説明】
【技術分野】
【０００１】
本発明は、フレキシブル回路基板を備えた電子時計に関し、特にフレキシブル回路基板と電池との接続構造に関する。
【背景技術】
【０００２】
従来から、フレキシブル回路基板は、時針、分針などからなる時刻表示手段と、輪列、外部操作部材などからなる時刻修正手段と、フレキシブルな回路基板にＬＳＩ、コンデンサなどが実装された回路ブロックと、電源等からなる電子時計において、様々に利用されている。即ち、特開２０００−６６２０４号公報（特許文献１）記載されている電子時計においては、フレキシブル回路基板はフレキシブルな液晶パネルと回路基板との端子の接続リードとして用いられている。特開２００４−８６０９９号公報（特許文献２）記載されている電子時計においては、湾曲したムーブメントのメイン基板として用いられている。
【０００３】
ところで、従来の電子時計においては、特開２００３−２１７５４２号公報（特許文献３）に記載されているように、マイナス端子とプラス端子を介して、電源となる電池のプラス電極、マイナス電極と回路ブロックとを導通させて駆動させる構造が一般的である。しかしながら、従来の構造では、部品点数が多いため、組立工数が多く、製造コストの低減が難しいという問題があった。また、プラス端子やマイナス端子の組立ガイドを固定するためのスペースが必要となるため、ムーブメントのサイズが大きくなり、電子時計の小型化を妨げているという問題があった。
【０００４】
即ち、従来の電子時計のムーブメントは、図９及び図１０に示す如く、平面が概ね楕円形状の地板２に、モータ１５、水晶振動子１６、回路ブロック３００、輪列受１７、輪列１８、外部操作部材１９、電池プラス端子２００、電池マイナス端子２１０などの多数の構成部品が組み付けられて構成されている。電池５は地板２に形成されている電池収納凹部６に収納され、そのプラス電極には電池プラス端子２００のプラス接点２００Ａの端部が当接し、且つそのマイナス電極には電池マイナス端子２１０のマイナス接点２１０Ａの端部が当接している。地板２において、輪列受１８が中央部に、電池収納凹部６は右側のやや上側に、そして回路ブロック３００は左側のやや下方にそれぞれは配置されている。
【０００５】
導電性と弾性を備えた材料で作られている電池プラス端子２００と電池マイナス端子２１０は、電池収納凹部６に収納された電池５から回路ブロック３００に給電する導通路を形成する。電池プラス端子２００と電池マイナス端子２１０は、図９と図１０から理解される如く、いずれもかなり大きな面積を占める部品であって、極めて複雑で独特の形状の部品である。
【０００６】
電池プラス端子２００の地板２へ組み付けは、組立ガイド２４０Ａに案内されながら、そのプラス接点２００Ａを電池５の側面に位置づけ、そのプラスばね２００Ｂを回路基板２２０の電源用プラスパターン２２０Ａにそれぞれ位置づける。続いて、電池プラス端子２００は、カシメ固定部２３０Ａによってカシメ固定される。また、電池マイナスス端子２１０の地板２へ組み付けは、組立ガイド２４０Ｂに案内されながら、そのマイナス接点２１０Aを電池５の下面に位置づけ、そのマイナスばね２１０Ｂを回路基板２２０の電源用マイナスパターン２２０Ｂにそれぞれ位置づける。続いて、電池マイナスス端子２１０は、その端部を地板２の固定フック２６に係合させ、カシメ固定部２３０Ｂによってカシメ固定される。従って、電池プラス端子２００と電池マイナス端子２１０の組立工数は多く、面倒である。
【特許文献１】特開２０００−６６２０４号公報
【特許文献２】特開２００４−８６０９９号公報
【特許文献３】特開２００３−２１７５４２号公報
【発明の開示】
【発明が解決しようとする課題】
【０００７】
本発明が解決しようとする課題は、ムーブメントの地板の電池収納凹部に収納された電池から給電する電子時計において、前記電池のプラス電極とマイナス電極にそれぞれ当接するプラス端子とマイナス端子の構成部品点数及び組立工数を従来よりも大幅に削減し、低コストの電子時計を提供することである。
【課題を解決するための手段】
【０００８】
上記課題を解決するために、回路ブロックを構成するフレキシブル回路基板と電池との接続手段とを一体化させてプラス端子とマイナス端子を形成し、接触圧付与手段によって前記フレキシブル回路基板のプラス端子とマイナス端子を前記電池に押し当てて接触圧を確保する構造とした。
【０００９】
即ち、上記課題を解決する電子時計を、フレキシブル回路基板を電池のプラス電極まで延伸して形成し、前記電池のプラス電極に当接させるプラス端子部と、前記フレキシブル回路基板を電池のマイナス電極まで延伸して形成し、前記電池のマイナス電極に当接させるマイナス端子部とを有する回路ブロックと、前記プラス端子部を前記電池の前記プラス電極に安定的に当接させる第１の接触圧付与手段と、前記マイナス端子部を前記電池の前記マイナス電極に安定的に当接させる第２の接触圧付与手段と、前記電池を収容するために凹状に形成された電池収納凹部とを有する支持体とを備えて構成した。
【発明の効果】
【００１０】
本発明により、ムーブメントの地板の電池収納凹部に収納された電池のプラス電極とマイナス電極にそれぞれ当接するプラス端子とマイナス端子の構成部品点数及び組立工数が、従来よりも大幅に削減されたので、電子時計のコスト低減が図られた。また、従来の極めて複雑で独特の形状の専用部品のプラス端子とマイナス端子の組立に用いられていた組立ガイドと組立の際に固定するためのスペースが不要となったので、ムーブメントの小型化が可能になった。
【発明を実施するための最良の形態】
【００１１】
本発明に係る電子時計は、ムーブメントの地板に組み付けられている回路ブロックに前記地板の電池収納凹部に収納された電池から給電する電子時計において、前記電池のプラス電極とマイナス電極にそれぞれ当接するプラス端子とマイナス端子を、前記回路ブロックを構成するフレキシブル回路基板を前記電池収納凹部まで延伸してそれぞれ形成した舌片状プラス端子部と舌片状マイナス端子部と、これら舌片状プラス端子部と舌片状マイナス端子部を前記電池のプラス電極とマイナス電極との接触圧を与える接触圧付与手段とで構成したことを特徴とするものである。
【実施例１】
【００１２】
本発明の実施例１の電子時計は、図１及び図２に示す如く、平面が概ね楕円形状の支持体である地板２に、モータ１５、水晶振動子１６、回路ブロック３、輪列受１７、輪列１８、外部操作部材１９などの多数の構成部品が組み付けられて構成されている。地板２において、輪列受１7が中央部に、電池収納凹部６は右側のやや上側に、そして、回路ブロック３は左側のやや下方にそれぞれは配置されている。電池５は、電池収納凹部６に収納されている。
【００１３】
回路ブロック３を構成するフレキシブル回路基板４は、ＬＳＩやコンデンサなどの電子部品等が実装された主回路部４Ａと、プラス端子とマイナス端子を形成する延伸部４Ｂとで構成されている。フレキシブル回路基板４の延伸部４Ｂは、モータ１５に沿った直線部分４ＢＡと、その端部から２つに分岐した２つの先端部分４ＢＢ，４ＢＣとを有する。
【００１４】
フレキシブル回路基板４の延伸部４Ｂの２つの先端部分４ＢＢ，４ＢＣは、舌片状プラス端子部７と舌片状マイナス端子部８をそれぞれ形成している。舌片状プラス端子部７と舌片状マイナス端子部８には図示しないプラス端子パターンとマイナス端子パターンが導電性金属薄膜でそれぞれ形成されている。そして、これら導電性金属薄膜のプラス端子パターンとマイナス端子パターンは、フレキシブル回路基板４の延伸部４Ｂに形成された図示しないプラス導通路パターンとマイナス導通路パターンによってフレキシブル回路基板４の主回路部４Ａにそれぞれ接続されている。
【００１５】
舌片状プラス端子部７は、その端部が電池５の側面側に端部が位置するように配置され、且つ、舌片状マイナス端子部８は、その端部が電池５の底面側に端部が位置するように配置されている。電池収納凹部６の側面には、プラスチック製の地板２を利用して、接触圧付与手段として機能するカンチレバー型プラス端子押し当てばね１０が形成されている。また、電池収納凹部６の底面には、プラスチック製の地板２を利用して、接触圧付与手段として機能するカンチレバー型マイナス端子押し当てばね１１が形成されている。
【００１６】
電池収納凹部６に電池５が収納されると、舌片状プラス端子部７はプラス端子押し当てばね１０によって電池５のプラス電極面に当接するように押圧され、舌片状マイナス端子部８はマイナス端子押し当てばね１１によって電池５のマイナス電極面に当接するように押圧される。このようにして、フレキシブル回路基板４の一部を利用した形成された舌片状プラス端子部７と舌片状マイナス端子部８は、接触圧付与手段であるカンチレバー型プラス端子押し当てばね１０とカンチレバー型マイナス端子押し当てばね１１によって適切な接触圧を確保しながら、電池５のプラス電極とマイナス電極にそれぞれ安定的に当接する。
【００１７】
カンチレバー型プラス端子押し当てばね１０とマイナス端子押し当てばね１１は、ムーブメント１のプラスチック製の地板２を製造するときに、同時に形成されるものである。舌片状プラス端子部７と舌片状マイナス端子部８は、回路ブロック３の主回路部４Ａと同時にプリント印刷回路技術によって同時に製造される。そして、舌片状プラス端子部７と舌片状マイナス端子部８の地板２への組み付けは、回路ブロック３の地板２への組み付けと同時に行われ、カシメ固定部２３でカシメ固定して行われる。カシメ固定部２３における固定は、ねじによって固定するようにしてもよい。従って、組立工数は従来に比較して大幅に削減され、作業性も改善された。
【実施例２】
【００１８】
本発明の実施例２の電子時計は、図３から図５に示す如く、平面が概ね楕円形状の支持体である地板２に、モータ１５、水晶振動子１６、回路ブロック３、輪列受１７、輪列１８、外部操作部材１９などの多数の構成部品が組み付けられて構成されている。地板２において、輪列受１７が中央部に、電池収納凹部６は右側のやや上側に、そして回路ブロック３は左側のやや下方にそれぞれは配置されている。電池５は電池収納凹部６に収納されている。
【００１９】
回路ブロック３を構成するフレキシブル回路基板４は、ＬＳＩやコンデンサなどの電子部品等が実装された主回路部４Ａと、プラス端子とマイナス端子を形成する延伸部４Ｂとで構成されている。フレキシブル回路基板４の延伸部４Ｂは、モータ１５に沿った直線部分４ＢＡと、その端部から２つに分岐した２つの先端部分４ＢＢ，４ＢＣとを有する。
【００２０】
フレキシブル回路基板４の延伸部４Ｂの２つの先端部分４ＢＢ，４ＢＣは、図５に示す如く、舌片状プラス端子部７０と舌片状マイナス端子部８０をそれぞれ形成している。舌片状プラス端子部７０と舌片状マイナス端子部８０にはプラス端子パターン７０Ａとマイナス端子パターン８０Ａが導電性金属薄膜でそれぞれ形成されている。そして、これら導電性金属薄膜のプラス端子パターン７０Ａとマイナス端子パターン８０Ａは、フレキシブル回路基板４の延伸部４Ｂに形成されたプラス導通路パターンとマイナス導通路パターンによってフレキシブル回路基板４の主回路部４Ａにそれぞれ接続されている。舌片状マイナス端子部８０のマイナス端子パターン８０Ａが形成されている先端部分４ＢＣに至るフレキシブル回路基板４の延伸部４Ｂは、電池５のプラス電極面とショート防止のための弾性を有するプラスチック製の絶縁フィルム９で被覆されている。
【００２１】
舌片状プラス端子部７０は電池５の側面側に端部が位置するように配置され、且つ、舌片状マイナス端子部８０は電池５の底面側に端部が位置するように配置されている。電池収納凹部６の側面には、舌片状プラス端子部７０の配置位置の反対側に、プラスチック製の地板２を利用して、接触圧付与手段として機能するカンチレバー型プラス端子押し当てばね１００が形成されている。また、フレキシブル回路基板４の延伸部４Ｂには接触圧付与手段として機能する弾性アーム部９０が形成されている。弾性アーム部９０は、舌片状マイナス端子部８０のマイナス端子パターン８０Ａが形成されている先端部分４ＢＣに至るフレキシブル回路基板４の延伸部４Ｂのアーム状部分であって、弾性を有するプラスチック製の絶縁フィルム９で被覆されているアーム状部分を、図５のＸ−Ｘの箇所で略直角に折り曲げて形成されている。
【００２２】
電池収納凹部６に電池５が収納されると、舌片状プラス端子部７０の配置位置の反対側に配置されているカンチレバー型プラス端子押し当てばね１００によって、舌片状プラス端子部７０は電池５のプラス電極面と電池収納凹部６の対応する側面に挟まれように押圧される。同時に、舌片状マイナス端子部８０は、弾性アーム部９０によって電池５を固定し、マイナス電極面に当接するように押圧される。このようにして、フレキシブル回路基板４の一部を利用した形成された舌片状プラス端子部７０と舌片状マイナス端子部８０は、接触圧付与手段であるカンチレバー型プラス端子押し当てばね１００と弾性アーム部９０によって適切な接触圧を確保しながら、電池５のプラス電極とマイナス電極にそれぞれ安定的に当接する。
【００２３】
カンチレバー型プラス端子押し当てばね１００は、ムーブメント１のプラスチック製の地板２を製造するときに、同時に形成されるものである。舌片状プラス端子部７０と舌片状マイナス端子部８０は、回路ブロック３の主回路部４Ａと同時にプリント印刷回路技術によって同時に製造される。そして、舌片状プラス端子部７０と舌片状マイナス端子部８０の地板２への組み付けは、回路ブロック３の地板２への組み付けと同時に行われ、カシメ固定部２３でカシメ固定して行われる。カシメ固定部２３における固定は、ねじによって固定するようにしてもよい。従って、組立工数は従来に比較して大幅に削減され、作業性も改善された。
【実施例３】
【００２４】
本発明の実施例３の電子時計は、そのムーブメント１の構成は基本的には実施例１と実施例２と同じである。そして、フレキシブル回路基板４の延伸部４Ｂの２つの先端部分は、図６に示す如く、舌片状プラス端子部７１と舌片状マイナス端子部８１をそれぞれ形成している。
【００２５】
舌片状プラス端子部７１は電池５の上面側に配置され、舌片状マイナス端子部８１は電池収納凹部６の底面側に配置されている。実施例３における接触圧付与手段は、地板２に取付けられた電池押さえ部１２の電池押さえばね１２Ａである
【００２６】
電池収納凹部６に電池５が収納されると、舌片状プラス端子部７１は地板２に取付けられた電池押さえ部１２の電池押さえばね１２Ａによって電池５のプラス電極面に押圧される。同時に、舌片状マイナス端子部８１は、電池押さえ部１２の電池押さえばね１２Ａの押圧力と電池５の重みによって、電池５のマイナス電極面に当接するように押圧される。このようにして、フレキシブル回路基板４の一部を利用した形成された舌片状プラス端子部７１と舌片状マイナス端子部８１は、接触圧付与手段である電池押さえ部１２の電池押さえばね１２Ａによって適切な接触圧を確保しながら、電池５のプラス電極とマイナス電極にそれぞれ安定的に当接する。電池押さえ部１２は電池５の上面を覆い、その一端を固定フック２５に係合させて固定される。実施例３の電子時計においても、組立工数は従来に比較して大幅に削減され、作業性も改善された。
【実施例４】
【００２７】
本発明の実施例４の電子時計は、実施例１の電子時計のカンチレバー型マイナス端子押し当てばね１１の代わりに図８に示すブリッジ型マイナス端子押し当てばね１４を用いて構成したものである。カンチレバー型マイナス端子押し当てばね１１もブリッジ型マイナス端子押し当てばね１４も、マイナス端子部８を電池５のマイナス電極に安定的に当接させる接触圧付与手段である。
【００２８】
フレキシブル回路基板４の延伸部４Ｂの２つの先端部分は、図１に示す如く、舌片状プラス端子部７と舌片状マイナス端子部８をそれぞれ形成している。舌片状プラス端子部７は、その端部が電池５の側面側に端部が位置するように配置され、且つ、舌片状マイナス端子部８は、その端部が電池５の底面側に端部が位置するように配置されている。電池収納凹部６の側面には、プラスチック製の地板２を利用して、接触圧付与手段として機能するプラス端子押し当てばね１０が形成されている。
【００２９】
一方、電池収納凹部６の底面には、プラスチック製の地板２を利用して、接触圧付与手段として機能するブリッジ型マイナス端子押し当てばね１４が形成されている。ブリッジ型マイナス端子押し当てばね１４は、図７と図８に示す如く、地板２の電池収納凹部６の底面に形成された突起部１４Ｃを有する短冊状ブリッジ部１４Ａを備えるものである。短冊状ブリッジ部１４Ａは、電池収納凹部６に略矩形凹部１４Ｄと、略矩形凹部１４Ｄの長辺に沿って２本の平行な貫通穴部１４Ｂとを形成することによって構成されている。このようにして構成された短冊状ブリッジ部１４Ａは、プラスチック製の地板２の一部をなすものであるから、弾性ばねとして機能する。
【００３０】
電池収納凹部６に電池５が収納されると、舌片状プラス端子部７は、図２に示す如く、カンチレバー型プラス端子押し当てばね１０によって電池５のプラス電極面に当接するように押圧される。また、舌片状マイナス端子部８は、図７に示す如く、ブリッジ型マイナス端子押し当てばね１４によって電池５のマイナス電極面に当接するように押圧される。このようにして、フレキシブル回路基板４の一部を利用した形成された舌片状プラス端子部７と舌片状マイナス端子部８は、接触圧付与手段であるカンチレバー型プラス端子押し当てばね１０とブリッジ型マイナス端子押し当てばね１１によって適切な接触圧を確保しながら、電池５のプラス電極とマイナス電極にそれぞれ安定的に当接する。実施例４の電子時計においても、組立工数は従来に比較して大幅に削減され、作業性も改善された。
【図面の簡単な説明】
【００３１】
【図１】実施例１の電子時計のムーブメントの平面図である。
【図２】実施例１の電子時計のムーブメントにおける電池とフレキシブル回路基板との接続部の断面図である。
【図３】本発明の実施例２の電子時計のムーブメントの平面図である。
【図４】実施例２の電子時計のムーブメントにおける電池とフレキシブル回路基板との接続部状態を示す断面図である。
【図５】実施例２の電子時計のムーブメントにおけるフレキシブル回路基板のマイナスパターン部とプラスパターン部の拡大平面図である。
【図６】実施例３の電子時計のムーブメントにおける電池とフレキシブル回路基板との接続部状態を示す断面図である。
【図７】実施例４の電子時計のムーブメントにおける電池とフレキシブル回路基板との接続部状態を示す断面図である。
【図８】本発明の実施例４の電子時計の電池収納凹部の底面の平面図である。
【図９】従来の電子時計のムーブメントの平面図である。
【図１０】従来の電子時計のムーブメントにおける電池とフレキシブル回路基板との接続部の断面図である。
【符号の説明】
【００３２】
１  ムーブメント
２  地板
３  回路ブロック
４  フレキシブル基板
４Ａ  主回路部
４Ｂ  延伸部
４ＢＡ
４ＢＢ
５  電池
６  電池収納凹部
７，７０，７１  プラス端子部
７０Ａ  プラス端子パターン
８，８０，８１  マイナス端子部
８０Ａ  マイナス端子パターン
９  絶縁フィルム
９０  弾性アーム部
１０，１００  プラス端子押し当てばね
１１  マイナス端子押し当てばね
１２  電池押さえ
１３  電池押さえばね
１４  電池押上げばね
１４Ａ  短冊状ブリッジ部
１４Ｂ  貫通穴部
１４Ｃ  突起部
１４Ｄ  略矩形凹部
１５  モータ
１６  水晶振動子
１７  輪列受
１８  輪列
１９  外部操作部材
２０  電池プラス端子
２０Ａ  プラス接点
２０Ｂ  プラスばね
２１  電池マイナス端子
２１Ａ  マイナス接点
２１Ｂ  マイナスばね
２２  回路基板
２２Ａ  電源用プラスパターン
２２Ｂ  電源用マイナスパターン
２３  カシメ固定部
２４Ａ，２４Ｂ  組立ガイド部
２５  固定フック
２６  固定フック
２００  電池プラス端子
２００Ａ  プラス接点
２００Ｂ  プラスばね
２１０  電池マイナス端子
２１０Ａ  マイナス接点
２１０Ｂ  マイナスばね
２２０  回路基板
２２０Ａ  電源用プラスパターン
２２０Ｂ  電源用マイナスパターン
２３０  カシメ固定部
２４０Ａ，２４０Ｂ  組立ガイド部
３００  回路ブロック
Ｘ−Ｘ  折り曲げ部
【図１】
2007218870.tif 000003
【図２】
2007218870.tif 000004
【図３】
2007218870.tif 000005
【図４】
2007218870.tif 000006
【図５】
2007218870.tif 000007
【図６】
2007218870.tif 000008
【図７】
2007218870.tif 000009
【図８】
2007218870.tif 000010
【図９】
2007218870.tif 000011
【図１０】
2007218870.tif 000012